(57)【要約】  本発明では、プローバ装置において、微小電子デバイスに対し、動的信号の応答解析を実施する際、探針の一つに入力される動的な電気信号の入力波形を整形し、試料を介して出力される動的な電気信号の出力波形を観察することに関し、好ましくは、試料を介して出力される動的な電気信号の出力波形が略パルス形状となるように、入力波形を整形するものとする。これにより、ＬＳＩを構成する微小トランジスタなどの微小電子デバイスに対して、メガヘルツレベル以上の高速な動的信号の応答解析を行うことができる。
2017018148.tif 000002
【特許請求の範囲】
【請求項１】
試料を保持する試料ステージと、
前記試料の所定箇所と接触する複数の探針と、
その内部に前記試料ステージと前記複数の探針が配置された試料室と、
前記試料および前記探針を観察する荷電粒子線顕微鏡と、
を備えるプローバ装置であって、
前記探針の一つに入力される動的な電気信号の入力波形を整形する入力波形形成機構と、
前記試料を介して出力される動的な電気信号の出力波形を観察する出力波形観察機構と、を備えることを特徴とするプローバ装置。
【請求項２】
請求項１記載のプローバ装置において、
前記入力波形は、前記試料を介して出力される動的な電気信号の出力波形が、略パルス形状となるように調整されていることを特徴とするプローバ装置。
【請求項３】
請求項２記載のプローバ装置において、
前記入力波形は、波形の前方部で凸形状であるか、または、波形の後方部分で凹形状であることを特徴とするプローバ装置。
【請求項４】
請求項１記載のプローバ装置において、
動的な電気信号の入力波形が記録されたデータベースを備え、
入力する動的な電気信号の条件に応じ、前記入力波形形成機構が、前記データベースに記録された入力波形を形成することを特徴とするプローバ装置。
【請求項５】
請求項１記載のプローバ装置において、
測定系の等価回路シミュレーションに基づき、前記入力波形形成機構が前記入力波形を自動形成することを特徴とするプローバ装置。
【請求項６】
請求項１記載のプローバ装置において、
前記入力波形形成機構が、前記出力波形に基づき、当該出力波形が略矩形となるように前記出力波形を自動的に修正することを特徴とするプローバ装置。
【発明の詳細な説明】
【技術分野】
【０００１】
本発明は、微小電子デバイス特性評価用プローバ装置に関し、特に、動的な応答解析を利用した微小電子デバイスの不良解析に関する。
【背景技術】
【０００２】
電子デバイスの微細化により、大規模集積回路(Large-Scale Integration、LSI)の高速化、高性能化が図られてきた。一方で、このような電子デバイスの微細化に伴って、トランジスタ数、配線本数、コンタクト数は増大している。このため、故障品などの不良解析は、より複雑化している。【０００３】
従来、電子デバイスの不良解析は、各種の非破壊分析により、不良箇所を絞り込んだ後、絞り込まれた推定不良箇所の構造欠陥を観察することにより行われてきた。【０００４】
構造欠陥の観察の際は、断面観察などの推定不良箇所の破壊分析を行う。このため、不良要因として推定した箇所に、異常が見られなかった場合、不良サンプルの再評価ができなくなってしまう。このため、電子デバイスの不良解析においては、非破壊分析による解析技術または、半破壊分析の段階で、高い確率で、不良箇所を突き止めることが可能な解析技術が望まれている。【０００５】
このような要望に対して、不良箇所が存在する近傍まで電子デバイスを研磨して、極めて微小な探針を、直接、電子デバイスの回路上に接触させて、電子デバイスの電気特性を評価するプローバ装置が提案されている。【０００６】
特開２０１３−１８７５１０号公報（特許文献１）では、走査型電子顕微鏡（Ｓｃａｎｎｉｎｇ  Ｅｌｅｃｔｒｏｎ  Ｍｉｃｒｏｓｃｏｐｅ、ＳＥＭ）を用いて、探針と試料表面の拡大映像を観察しながら、試料表面上に存在する微細なトランジスタなどに、微小な探針を接触して電気特性を測定している。これにより、これまで困難であった、試料内に存在する億単位のトランジスタのうちの１個のみの電気特性の評価を可能としている。
【先行技術文献】
【特許文献】
【０００７】
【特許文献１】特開２０１３−１８７５１０号公報
【発明の概要】
【発明が解決しようとする課題】
【０００８】
本願発明者が、プローバ装置における微小電子デバイスの動的な応答解析について鋭意検討した結果、次の知見を得るに至った。【０００９】
これまでの微小電子デバイス特性評価用プローバ装置では、直流電圧を印加した際、どのような電流が流れるのかといった現象である、静的電気特性を評価していた。不良であると思われるトランジスタの静的電気特性と、正常なトランジスタの静的電気特性とを比較し、これらの特性が同等でない場合、不良箇所として断定していた。【００１０】
一方、これらのトランジスタを実際に使用する場合には、メガヘルツオーダやギガヘルツオーダの高速な駆動信号で動作させている。より精密に、トランジスタの電気特性を評価するためには、実際の動作環境に近い状態である、動的信号の応答解析（動的解析もしくは動的評価）ができると望ましい。【００１１】
さらに、トランジスタの不良解析において、静的電気特性の評価だけでは見分けられない不良のあることが懸念されている。このため、近年、プローバ装置による動的な応答解析の必要性が高まっている。【００１２】
高速な動的信号の応答解析では、入力する高速な信号が、劣化なく試料に伝わること、そして、試料の応答信号が、劣化なくオシロスコープに出力されることが必要となる。【００１３】
このような高速な信号を伝送する必要がある測定系は、測定する周波数に対して十分な周波数帯域を持っている必要がある。より高速な信号（高周波信号）を伝送するためには、大きな周波数帯域が必要となる。このような系では、伝送に伴う損失を抑制するための伝送経路の最適化や、伝送経路に存在する構造物や部品などによる信号の反射や損失を防ぐためのインピーダンス変動の抑制などが重要となる。【００１４】
図１は、プローバ装置の測定経路の模式図である。プローバ装置では、ファンクションジェネレータ１が発生した入力信号を、入力ケーブル２を通して探針３に送り、試料４に印加する。試料４の応答信号は、出力ケーブル５を介してオシロスコープ６で観察される。ここで、真空チャンバ７の中で、探針３を操作する必要があるために、入力ケーブル２は、真空チャンバ７内に配置されている。これにより、入力ケーブル２の長さが固定されてしまい、全ケーブル長は、集積回路基板などのミリメートル以下の微小スケールとは大幅に異なった、メートルオーダのスケールとなる。このようなスケールの違いは、伝送損失の増大や、測定系を構成する各部の反射を招きやすく、高速伝送の弊害となってくる。【００１５】
また、入力ケーブル２や出力ケーブル５は、ＧＮＤ被覆されている一方で、探針３は、ＧＮＤ被覆されていない。このような構造により、インピーダンス変動は大きくなりうる。【００１６】
さらに、プローバ装置による測定では、探針３を接触させたい層まで試料４を研磨した後に、プローバ装置に配置し、試料４の研磨面に探針３を接触させて測定する。【００１７】
図２Ａ及び図２Ｂは、プローバ装置による測定時の模式図であり、図２Ａは上面図、図２Ｂは側面図であり、試料４の研磨面に、探針３を接触させている様子を示す。試料４の電気特性を測定するために、試料４のコンタクト８に探針３を接触させているが、この数十ナノメートルオーダの接触面における、汚れなどの接触抵抗も、インピーダンス変動の要因となる。【００１８】
これらの周波数帯域を劣化させる要因によって、プローバ装置における動的信号の応答解析は、ＬＳＩが実際に動作するようなメガヘルツレベル、とりわけギガヘルツオーダの周波数だと困難になってくる。【００１９】
本発明の目的は、プローバ装置において、メガヘルツレベル以上の動的信号を用いて、ＬＳＩを構成する微小トランジスタなどの微小電子デバイスの不良解析を実施することに関する。
【課題を解決するための手段】
【００２０】
本発明では、プローバ装置において、微小電子デバイスに対し、動的信号の応答解析を実施する際、探針の一つに入力される動的な電気信号の入力波形を整形し、試料を介して出力される動的な電気信号の出力波形を観察することに関し、好ましくは、試料を介して出力される動的な電気信号の出力波形が略パルス形状となるように、入力波形を調整することに関する。
【発明の効果】
【００２１】
本発明によれば、ＬＳＩを構成する微小トランジスタなどの微小電子デバイスに対して、メガヘルツレベル以上の高速な動的信号の応答解析を行うことができる。
【図面の簡単な説明】
【００２２】
【図１】プローバ装置の測定経路の模式図
【図２Ａ】試料に探針を接触させている状態示す図
【図２Ｂ】試料に探針を接触させている状態示す図
【図３】実施例１の微小電子デバイス特性評価用プローバ装置の概略図
【図４Ａ】周波数帯域がパルス形状に及ぼす影響を説明するためのグラフ
【図４Ｂ】周波数帯域がパルス形状に及ぼす影響を説明するためのグラフ
【図４Ｃ】周波数帯域がパルス形状に及ぼす影響を説明するためのグラフ
【図５】実施例２の微小電子デバイス特性評価用プローバ装置の構成図
【図６】実施例３の微小電子デバイス特性評価用プローバ装置の概略図
【図７】実施例４の微小電子デバイス特性評価用プローバ装置の概略図
【図８】実施例５の微小電子デバイス特性評価用プローバ装置の概略図
【発明を実施するための形態】
【００２３】
実施例では、試料を保持する試料ステージと、試料の所定箇所と接触する複数の探針と、その内部に試料ステージと複数の探針が配置された試料室と、試料および探針を観察する荷電粒子線顕微鏡と、を備え、探針の一つに入力される動的な電気信号の入力波形を整形する入力波形形成機構と、試料を介して出力される動的な電気信号の出力波形を観察する出力波形観察機構と、を備えるプローバ装置を開示する。
【００２４】
また、実施例では、入力波形は、試料を介して出力される動的な電気信号の出力波形が、略パルス形状となるように調整されていることを開示する。また、実施例では、入力波形は、波形の前方部で凸形状であるか、または、波形の後方部分で凹形状であることを開示する。
【００２５】
また、実施例では、動的な電気信号の入力波形が記録されたデータベースを備え、入力する動的な電気信号の条件に応じ、入力波形形成機構が、データベースに記録された入力波形を形成するプローバ装置を開示する。
【００２６】
また、実施例では、測定系の等価回路シミュレーションに基づき、入力波形形成機構が入力波形を自動形成するプローバ装置を開示する。
【００２７】
また、実施例では、入力波形形成機構が、出力波形に基づき、当該出力波形が略矩形となるように出力波形を自動的に修正するプローバ装置を開示する。
【００２８】
以下、上記およびその他の新規な特徴と効果について、図面を参酌して説明する。
【実施例１】
【００２９】
図３は、本実施例の微小電子デバイス特性評価用プローバ装置の概略図である。【００３０】
本実施例におけるプローバ装置は、内部を真空に保つことが可能な真空チャンバ７内に、試料４上のコンタクトなどに接触させて、試料４の電気特性を測定するための探針３と、探針３や試料４に電子線を照射するためのＳＥＭカラム９と、電子線の照射により探針３や試料４から発生する二次電子を検出するための二次電子検出器１０とを備えている。【００３１】
また、このプローバ装置は、探針３を駆動させるための探針駆動機構（図示せず）と、試料４の位置を移動するための試料ステージ１１が設けられている。【００３２】
トランジスタの電気特性を取得する場合、ソース、ドレイン、ゲートの各コンタクトへ探針を接触させる必要があるため、探針３は最低でも３本必要となる。基板に接触させる探針３や、探針３に破損が起こった場合のための予備探針などを考慮すると、探針の数は３本より多くてもよく、たとえば６本以上の探針を設けてもよい。【００３３】
探針３や試料ステージ１１の移動は、測定者が、制御端末（図示せず）で操作する。【００３４】
試料４の電気特性は、探針３を所望のコンタクトに移動し、探針３とコンタクトを接触させて、探針３を通して、ファンクションジェネレータ１から、オシロスコープ６に測定信号を送り、半導体パラメータアナライザ１２によりトランジスタの駆動に必要な電圧を印加し、動的な応答特性を取得することにより、解析され、評価される。【００３５】
ここで、前述の通り、プローバ装置の特有の構成により、伝送する周波数帯域の確保は、難しい。図４Ａ〜図４Ｃは、周波数帯域がパルス形状に及ぼす影響を説明するためのグラフである。十分な伝送周波数の帯域が確保されていると、パルス波をこの系に伝送した場合、きれいな矩形波を維持して出力される（図４Ａ)。一方、伝送信号の周波数帯域が小さい場合、入力したパルス波形は、矩形の立ち上がり部が劣化する（図４Ｂ）。これは、パルス波形は、多数の周波数成分から構成されており、パルス波形における矩形の立ち上がり、立下りの部分は、高い周波数成分に相当するためである。つまり、伝送帯域の小さな測定系では、この高い周波数成分は劣化してしまい、結果として、得られたパルス波形は、（図４Ｂ）のように、立ち上がり形状において、矩形を維持しない。一方で、見方をかえると、この矩形の立ち上がりの形を観察することにより、より高周波での測定体の特性が把握できるということになる。【００３６】
本実施例では、プローバ装置で動的な応答特性を測定する際、出力される信号波形が、矩形になるよう、入力波形を整形し、プローバ装置の伝送系での信号劣化を補う。この伝送波形を利用して、矩形を維持した標準試料の立ち上がりと、比較試料の出力信号の立ち上がりを比較することにより、より高周波での試料特性の違いを測定することができる。【００３７】
図４Ｃは、波形整形した入力波形の代表的な形状である。劣化が予想される立ち上がり、または、立下りに相当する部分を、急激な電圧の上昇、または、下降させた形状とし、伝送劣化を補填している。実際の測定において、本形状の電圧の上昇量や上昇時間は、測定系の等価回路シミュレーションにより決定する。
【実施例２】
【００３８】
本実施例では、微小電子デバイス特性評価用プローバ装置による不良解析について説明する。以下、実施例１との相違を中心に説明する。【００３９】
図５は、本実施例の微小電子デバイス特性評価用プローバ装置の構成図である。微小電子デバイス特性評価用プローバ装置は、真空チャンバ７の内部に、電気特性を測定するための探針３と、電子デバイスなどの試料４を設置できる試料ステージ１１を備えている。【００４０】
また、このプローバ装置は、さらに、探針３や試料４に電子線を照射するためのＳＥＭカラム９と、電子線の照射により探針３や試料４から発生する二次電子を検出するための二次電子検出器１０を備えている。【００４１】
真空チャンバ７には、その内部を排気するためのターボ分子ポンプ１３とドライポンプ１４が設けられている。なお、真空チャンバ７の内部を真空に保つことができるポンプであれば、ポンプの種類は問わないが、より高真空を保つことが可能であり、真空チャンバ７を汚染しないようなポンプが望ましい。【００４２】
真空チャンバ７の内部は、ＳＥＭによる試料観察領域１５、光学顕微鏡による試料観察領域１６、および探針の交換領域１７に大別される。これらの領域へ試料ステージ１１が移動することにより、ＳＥＭによる試料観察、光学顕微鏡による試料観察、および探針の交換が可能となる。【００４３】
試料ステージ１１は、基本的には、ＳＥＭカラム９の真下に配置されている。さらに、試料ステージ１１とＳＥＭカラム９の間には、探針３が配置されている。なお、探針３の本数は、本実施例では４本である。そして、この探針３は、探針駆動装置（図示せず）に固定されている。【００４４】
探針３を、探針の交換領域１７まで移動させ、探針引き上げ棒１９を用いて、探針３を探針交換室１８へ引き上げることにより、探針３を交換することができる。【００４５】
試料４の電気特性の測定のために、探針３を試料４に接触させる際、はじめに、試料ステージ１１を、光学顕微鏡による試料観察領域１６へ移動する。この領域には、試料４を上面方向から観察する第一のＣＣＤカメラ２０と、試料４を側面方向から観察する第二のＣＣＤカメラ２１が設置されている。これらのＣＣＤカメラ２０、２１の映像を観察しながら探針３を駆動させることにより、約０．１ｍｍ程度の精度で、探針３を所望のコンタクトが存在する箇所へ移動させることができる。【００４６】
試料４のうち、実際に測定したいパターンの大きさは、直径１００ｎｍ以下であることが多い。そこで、上記の位置あわせの後、試料ステージ１１をＳＥＭによる試料観察領域１５へ移動させる。そして、ＳＥＭ像を観察しながら探針３を操作して、より精密に探針３を測定位置へ移動させる。【００４７】
それぞれの探針３は、電子デバイスの電気特性を測定するための半導体パラメータアナライザ１２と、動的な信号を発生するファンクションジェネレータ１と、動的な応答信号の波形を観察するオシロスコープ６に接続されている。ファンクションジェネレータ１は、発生する信号波形を任意に作成できる機能を有している。【００４８】
以上までの装置の操作、例えば、探針３や試料ステージ１１の移動は、表示ディスプレイ２２に表示されているグラフィカルユーザインターフェース（ＧＵＩ）により制御する。なお、ＧＵＩによらずとも、操作パネルなどによる制御でも構わない。【００４９】
次に、試料４の測定方法を説明する。【００５０】
はじめに、故障診断などから不良と推定されるトランジスタを絞り込み、正常なトランジスタの所望のコンタクトが表面に露出されるまで、試料４を研磨する。【００５１】
次に、コンタクトが表面に露出した試料４を試料ステージ１１に設置した後、探針３をコンタクトに接触させる。探針３は、トランジスタのソース、ドレイン、ゲート、基板、それぞれのコンタクトに接触させる。【００５２】
ドレインと基板に接触させた探針は、半導体パラメータアナライザ１２に接続し、ゲートに接触した探針は、ファンクションジェネレータ１に接続し、ソースに接触させた探針は、オシロスコープ６に接続する。【００５３】
それぞれの探針３を、各コンタクトに接触させた後、ドレインには１Ｖの電圧を印加し、基板には０Ｖの電圧を印加する（接地する）。ゲートには、ファンクションジェネレータ１により、１Ｖの電圧を、１００ＭＨｚの周波数で（パルス幅５ｎｓ）印加する。この時のソースからの信号を、オシロスコープ６で観察する。【００５４】
出力された応答波形が、矩形でなければ、入力波形を整形する。波形整形から、１００ＭＨｚのパルス形状から、０．７ｎｓの立ち上がり時間を実現させる。次に、同様の測定条件と入力波形を用いて、不良と推測されるトランジスタの、動的な応答波形を観察する。この結果、正常なトランジスタに比べて、立ち上がり時間に劣化が見られていた場合は、トランジスタが故障しており、不良であると判断できる。
【実施例３】
【００５５】
本実施例では、入力波形をデータベースから選択する場合を説明する。以下、実施例１乃至２との相違点を中心に説明する。【００５６】
図６は、本実施例の微小電子デバイス特性評価用プローバ装置の概略図である。本実施例では、探針３を、各コンタクト８に接触させた後、ドレインには、１Ｖの電圧を印加し、基板には、０Ｖの電圧を印加する。ファンクションジェネレータ１によりゲートに信号を入力する際、その波形は、測定する周波数、または、試料の種類に基づいて、使用された波形が蓄積されたデータベース２３から選択する。これにより、最適な入力波形を試料に印加し、オシロスコープ６により、動的な応答信号の測定を行う。
【実施例４】
【００５７】
本実施例では、探索アルゴリズムを用いて入力波形を決定する場合を説明する。以下、実施例１乃至３との相違点を中心に説明する。【００５８】
図７は、本実施例の微小電子デバイス特性評価用プローバ装置の概略図である。本実施例では、探針３を、各コンタクト８に接触させた後、ドレインには、１Ｖの電圧を印加し、基板には、０Ｖの電圧を印加する。ファンクションジェネレータ１によりゲートに信号を入力する前に、入力波形に、測定系の等価回路シミュレータを用い、出力されるシミュレーション波形を導出する。この波形が矩形となるよう、入力するシミュレーション波形を繰り返し修正する探索アルゴリズムを用いて、最適入力波形を決定する。シミュレーション計算、および探索アルゴリズムの実行は、ファンクションジェネレータ１に入力波形の指示を行う演算処理部２４により行われる。これにより最適化された入力波形を、試料に印加し、オシロスコープ６により、動的な応答信号の測定を行う。
【実施例５】
【００５９】
本実施例では、入力波形を修正しながら動的な応答信号の測定を行う場合を説明する。以下、実施例１乃至４との相違点を中心に説明する。【００６０】
図８は、本実施例の微小電子デバイス特性評価用プローバ装置の概略図である。本実施例では、探針３を、各コンタクト８に接触させた後、ドレインには、１Ｖの電圧を印加し、基板には、０Ｖの電圧を印加する。ゲートには、ファンクションジェネレータ１により、自動的に繰り返し、信号を入力する。この時、試料４からの出力波形を、繰り返し取得し、この波形が矩形となるように、入力波形を修正しながら、動的な応答信号の測定を行う。入力波形の修正は、オシロスコープ６からの信号情報を受けた演算処理部２４で行う。演算処理部２４からファンクションジェネレータ１に修正結果を送ることにより、発生する入力波形を整形する。
【符号の説明】
【００６１】
１…ファンクションジェネレータ
２…入力ケーブル
３…探針
４…試料
５…出力ケーブル
６…オシロスコープ
７…真空チャンバ
８…コンタクト
９…ＳＥＭカラム
１０…二次電子検出器
１１…試料ステージ
１２…半導体パラメータアナライザ
１３…ターボ分子ポンプ
１４…ドライポンプ
１５…ＳＥＭによる試料観察領域
１６…光学顕微鏡による試料観察領域
１７…探針の交換領域
１８…探針交換室
１９…探針引き上げ棒
２０…ＣＣＤカメラ
２１…ＣＣＤカメラ
２２…表示ディスプレイ
２３…データベース
２４…演算処理部
【図１】
2017018148.tif 000003
【図２Ａ】
2017018148.tif 000004
【図２Ｂ】
2017018148.tif 000005
【図３】
2017018148.tif 000006
【図４Ａ】
2017018148.tif 000007
【図４Ｂ】
2017018148.tif 000008
【図４Ｃ】
2017018148.tif 000009
【図５】
2017018148.tif 000010
【図６】
2017018148.tif 000011
【図７】
2017018148.tif 000012
【図８】
2017018148.tif 000013
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
試料を保持する試料ステージと、
前記試料の所定箇所と接触する複数の探針と、
その内部に前記試料ステージと前記複数の探針が配置された試料室と、
前記試料および前記探針を観察する荷電粒子線顕微鏡と、
を備えるプローバ装置であって、
前記探針の一つに入力される動的な電気信号の入力波形を整形する入力波形形成機構と、
前記試料を介して出力される動的な電気信号の出力波形を観察する出力波形観察機構と、を備え、
前記入力波形形成機構が、前記出力波形に基づき、当該出力波形が略矩形となるように前記出力波形を修正することを特徴とするプローバ装置。
【請求項２】
請求項１記載のプローバ装置において、
前記入力波形は、前記試料を介して出力される動的な電気信号の出力波形が、略パルス形状となるように調整されていることを特徴とするプローバ装置。
【請求項３】
請求項２記載のプローバ装置において、
前記入力波形は、波形の前方部で凸形状であるか、または、波形の後方部分で凹形状であることを特徴とするプローバ装置。
【請求項４】
請求項１記載のプローバ装置において、
動的な電気信号の入力波形が記録されたデータベースを備え、
入力する動的な電気信号の条件に応じ、前記入力波形形成機構が、前記データベースに記録された入力波形を形成することを特徴とするプローバ装置。
【請求項５】
請求項１記載のプローバ装置において、
測定系の等価回路シミュレーションに基づき、前記入力波形形成機構が前記入力波形を自動形成することを特徴とするプローバ装置。
【請求項６】
（削除）
【国際調査報告】
2017018148.tif 000014
2017018148.tif 000015
2017018148.tif 000016
2017018148.tif 000017